(57)【特許請求の範囲】
【請求項１】
長手方向の一端部にシンクが設けられたシステムキッチンにおいて、
前記シンクに隣接し、前記長手方向に天板の外側へ突出している棚部と、
前記棚部に収納され該棚部から水平方向に引き出される引出とを含み、
前記引出は前記長手方向に引き出されることを特徴とするシステムキッチン。
【請求項２】
前記棚部の厚みは８０ｍｍ以上であることを特徴とする請求項１に記載のシステムキッチン。
【請求項３】
前記棚部の上面は前記シンクの縁より高く形成されていることを特徴とする請求項１または２に記載のシステムキッチン。
【請求項４】
前記棚部の下方には、実質的に床から前記天板の下面までの高さを有するスペースが形成されることを特徴とする請求項１から３までのいずれかに記載のシステムキッチン。
【発明の詳細な説明】
【技術分野】
【０００１】
本発明は、システムキッチンに関するものである。
【背景技術】
【０００２】
従来から、シンクやコンロ、収納などの要素を組み合わせ、天板の下にまとめて構成したシステムキッチンが提供され、広く普及している。
【０００３】
また近年、特別な敷居を設けることなく、リビングダイニングとして１つの部屋を構成している全開放型の対面式オープンキッチンが増加している。オープンキッチンは屋内を全体的に広く感じることができ、またキッチンで調理している者とリビングダイニングにいる者との間でコミュニケーションしやすいという利点を有している。
【０００４】
従来の対面式オープンキッチンでは、キッチンの天板の全面が水に濡れてもよいウェットエリアである。しかし、水作業をする者とは反対側、すなわちリビングダイニング側にまで、天板を超えて水はねが生じることは好ましくない。したがって、従来からも、かかるオープンキッチンの不都合さを改善するための様々な工夫がなされている。例えば特許文献１には、キッチンユニットのリビングダイニング側に間仕切り部材を設け、油や食材がリビングダイニングに飛散することを防止する構成が記載されている。
【特許文献１】特開２００５−２０４７１４号公報
【発明の開示】
【発明が解決しようとする課題】
【０００５】
しかし、特許文献１のような技術では、エプロンの着用など水仕事の準備をしていない者は、間仕切り部材を隔ててしか、シンク付近に留まることができない。間仕切り部材がなければ、水はねによって衣服を濡らしてしまうからである。
【０００６】
一方、水はねにより衣服が濡れることに頓着しないとしても、間仕切り部材を除去して出現するのはウェットエリアであるため、シンク付近で水仕事に関係のない作業をする余地はなかった。
【０００７】
そこでシンク付近に、シンクからの水はねを受けないドライエリアを設ければ、水仕事をしない者もシンク付近に留まり、レシピへの書き込みや、茶やコーヒーの用意など、ドライエリアでなければできない作業をすることができる。
【０００８】
また、水はねを受けないドライエリアに食卓を隣接配置することも可能である。これにより、食卓を配置するのに十分なスペースを確保しがたいワンルーム型マンションや狭小住宅などにも、システムキッチンの導入が可能になる。
【０００９】
ところで、水仕事はしないものの配膳作業などを行う者にとっては、箸など、食卓に並べる用具が食卓付近に収納されていることが好ましい。ドライエリアを設けたことにより食卓に接近させることが可能となったキッチンを利用して、かかる収納が可能になれば、上述の省スペースの利点に加えて、水仕事をしない者にとっての配膳作業等の効率が高まるという利点も得られる。
【００１０】
さらに、かかる収納手段が水仕事をする者にも利用可能であれば、キッチンの利便性はより向上する。
【００１１】
本発明はこのような課題に鑑み、シンク付近にドライエリアを設けて水仕事をしない者がシンク付近でも作業できるスペースを確保し、さらに、シンク付近にいる水仕事をする者、しない者の双方が利用可能な収納手段を有するシステムキッチンを提供することを目的とする。
【課題を解決するための手段】
【００１２】
上述の課題を解決するために、本発明のある構成では、長手方向の一端部にシンクが設けられたシステムキッチンにおいて、シンクに隣接し、長手方向に天板の外側へ突出している棚部と、棚部に収納され棚部から水平方向に引き出される引出とを含み、引出は長手方向に引き出されることを特徴とする。
【００１３】
上述の構成によれば、棚部は、シンクに隣接しているものの、天板の外側へ突出していることから、水はねを避けたドライエリアとして形成されている。棚部により、本来であればウェットエリアであるべきシンクの付近に、水仕事以外の作業が可能なドライエリアが形成される。そして、かかるスペースを提供する棚部の厚みを利用すれば、上述のように、収納用の引出を設けることができる。
【００１４】
この引出に、箸などの食卓に並べる用具や、調理用具を収納すれば、水仕事を行わない者（配膳を行う者）、および水仕事を行う者の双方にとって、手近な収納手段が増え、システムキッチンの利便性が高まる。
【００１５】
上述の引出が含まれる棚部から長手方向外側に最も近い壁までの距離は、シンクが設けられていない側の他端部から長手方向外側に最も近い壁までの距離より長いとよい。
【００１６】
本発明によるシステムキッチンは、室の中のどこに配置してもよく、例えば中央に配置してもよい。ただし、上述のように、棚部から長手方向外側に最も近い壁までの距離は、シンクが設けられていない側の他端部から長手方向外側に最も近い壁までの距離より長いことが好ましい。その長いスペースに食卓などを配置し、水はねを意に介することなく、キッチンに近接して配置できるからである。
【００１７】
また、上述の配置のバリエーションとして、シンクが設けられていない側の他端部から長手方向外側に最も近い壁までの距離をゼロとする、すなわち他端部と壁とを隣接させてもよい。
【００１８】
このように、本発明によるシステムキッチンは、典型的には、シンク側の一端部をリビングダイニングに向けて配置される。かかる配置になっていれば、室の角に配置してもよいが、理想的には、室の短辺の中央から室内に向かって突出させるように配置するとよい。これにより、調理者同士がキッチンを挟んで対面し、シンクを同時に利用できるからである。
【００１９】
なお、上記の構成によれば、調理者同士が対面し、キッチンにいる調理者と、リビングダイニング側にいる者とは対面しないこととなる。
【００２０】
上述の棚部の厚みは８０ｍｍ以上であるとよい。上述の引出は、もとより、棚部の厚みを利用したものであるが、引出を収納するのに十分な厚みを確保するためである。
【００２１】
上述の棚部の上面はシンクの縁より高く形成されているとよい。このようにすることにより、棚部への水はね防止がより確実となり、ドライエリアとしてより完全なものとなるからである。
【００２２】
また、棚部を高く形成するには、棚部を高所に移動させるのではなく、棚部の厚みを厚くすることによって実行するとよい。これにより、逆説的ではあるが、棚部の厚みを、引出を収容可能な程度まで厚くすることができるという効果も得られるからである。
【００２３】
なお、このようにシンクの縁より棚部の上面を高く形成するのは、同一シリーズのシステムキッチンのデザインの共通性のためでもある。
【００２４】
また上述したように引出は長手方向に引き出される。これにより、引出は、棚部が突出している長手方向にさらに突出することとなる。したがって、キッチンの両長辺に相当する箇所で対面している調理者双方、および、キッチンの短辺に相当する箇所からキッチンにアクセスする水仕事をしない者、の３者によって利用可能となる。
【００２６】
上述の棚部の下方には、実質的に床から天板の下面までの高さを有するスペースが形成されるとよい。棚部の下方に、キッチンに接近させることが可能となった食卓を配置させることを可能とするためである。また、このスペースには、別の収納棚など、食卓以外の物を配置してもよい。
【発明の効果】
【００２７】
本発明によれば、シンク付近にドライエリアを設けて水仕事をしない者がシンク付近でも作業できるスペースを確保し、さらに、シンク付近にいる水仕事をする者、しない者の双方が利用可能な収納手段を有するシステムキッチンを提供できる。
【発明を実施するための最良の形態】
【００２８】
次に添付図面を参照して本発明によるシステムキッチンの実施形態を詳細に説明する。図中、本発明に直接関係のない要素は図示を省略する。また、同様の要素は同一の参照符号によって表示する。なお、以下の実施形態に示す寸法、材料、その他具体的な数値などは、発明の理解を容易とするための例示に過ぎず、特に断る場合を除き、本発明を限定するものではない。
【００２９】
（システムキッチン）
図１は本発明の実施形態であるシステムキッチンを示す図であり、（ａ）は外観図、（ｂ）は同システムキッチンの配置図である。また、図２は図１のシステムキッチンの概略構成を説明するための外観斜視図である。
【００３０】
図１（ａ）に示すように、長手方向の一端部にシンク１４０が設けられたシステムキッチン２００において、シンク１４０に隣接し、長手方向に、天板としての役割を果たすワークトップ２５０の外側へ突出している棚部が設けられている。この棚部の実施形態を、サポートデッキ２５２と呼ぶ。
【００３１】
本実施形態のシステムキッチン２００の特徴は、サポートデッキ２５２に収納されサポートデッキ２５２から水平方向に引き出される引出を含むことである。この引出の実施形態をカトラリートレイ３００と呼ぶ。図１ではカトラリートレイ３００の前面に取り付けられる化粧板３１０しか見えていないが、化粧板３１０の部分を引き出すことによって、カトラリートレイ３００が出現する。
【００３２】
上述の構成によれば、サポートデッキ２５２は、シンク１４０に隣接しているものの、ワークトップ２５０の外側へ突出しているため、水はねを避けたドライエリアとして形成されている。サポートデッキ２５２により、本来であればウェットエリアであるべきシンク１４０の付近に、水仕事以外の作業が可能なドライエリアが形成される。そして、かかるスペースを提供するサポートデッキ２５２の厚みを利用すれば、上述のように、収納用のカトラリートレイ３００を設けることができる。
【００３３】
ここで、図２を用いて、システムキッチン２００の構成を簡単に説明しておく。ワークトップ２５０にはシンク１４０、加熱調理器１４４、案内板１４８が備えられている。シンク１４０とサポートデッキ２５２は隣接して配置されていて、サポートデッキ２５２はシステムキッチン２００の筐体からデッキ状に突出している。シンク１４０において水栓１４２はサポートデッキ２５２近傍に設置されていて、キッチン側およびリビングダイニングＬＤ側の両方に対して横向きに設置されている。
【００３４】
水栓１４２は、かかる構造により、ワークトップ２５０およびシンク１４０は、図１（ｂ）のシステムキッチン２００を隔てた両側、すなわち位置ＡおよびＢに位置する者（水仕事をする者を想定）の双方が利用することができ、複数人でわいわいと調理を行うことが可能なシステムキッチン２００を提供することができる。
【００３５】
図１（ｂ）に示すように、上述のカトラリートレイ３００が含まれるサポートデッキ２５２から長手方向外側に最も近い壁３２０までの距離は、シンク１４０が設けられていない側の他端部から長手方向外側に最も近い壁３５０までの距離より長い（図１（ｂ）の場合は、他端部と壁３５０とは接していて、距離はゼロ）。
【００３６】
本発明によるシステムキッチンは、室の中のどこに配置してもよく、例えば中央に配置してもよい。ただし、上述のように、棚部から長手方向外側に最も近い壁までの距離は、シンクが設けられていない側の他端部から長手方向外側に最も近い壁までの距離より長いことが好ましい。その長いスペースに食卓などを配置し、水はねを意に介することなく、キッチンに近接して配置できるからである。
【００３７】
本実施形態によるシステムキッチン２００は、室４００の中のどこに配置してもよく、例えば中央に配置してもよい。ただし、上述のように、サポートデッキ２５２から室４００の壁３２０までのスペースを長くしておけば、食卓３３０や椅子３４０を配置できる。
【００３８】
このように、本実施形態によるシステムキッチン２００は、シンク１４０側の一端部をリビングダイニングＬＤに向けて配置される。かかる配置になっていれば、室４００の角に配置してもよいが、理想的には、図１（ｂ）のように、室４００の短辺に相当する壁３５０の中央から室４００内に向かって突出させるように配置するとよい。これにより、位置ＡおよびＢに存在する者同士がキッチン２００を挟んで対面し、シンク１４０を同時に利用できるからである。
【００３９】
また、キッチン２００の両側にはそれぞれ家具２５６、２５８が配置され、ここに食器などを整理しておくことができる。
【００４０】
なお、上記の構成によれば、本実施形態によるシステムキッチン２００は、一般的な「対面式」ではない。位置ＡおよびＢの調理者同士は対面しているものの、キッチンにいる調理者と、リビングダイニングＬＤ側にいる者とは対面していないためである。
【００４１】
図３は図２のシステムキッチンを部分的に断面図で示す三面図であり、（ａ）は平面図、（ｂ）は（ａ）のＢ−Ｂ断面図、（ｃ）は（ａ）のＣ−Ｃ断面図である。
【００４２】
図３（ｃ）に示すように、サポートデッキ２５２は３本のＬ字支持金具３７０Ａ〜３７０Ｃによって支持されている。一方、カトラリートレイ３００は、Ｌ字支持金具３７０Ａ〜３７０Ｃに直接支持されるのではなく、図３（ａ）に示すように、サポートデッキ２５２に設けられたレール３８０Ａ、３８０Ｂによって支持されつつ摺動可能な構成となっている。
【００４３】
なお、図３（ｂ）に示すように、ワークトップ２５０の上面とサポートデッキ２５２の上面とは、サポートデッキ側面２５４によって連続している。サポートデッキ側面２５４は、上方に向かってサポートデッキ２５２側に後退するように傾斜している。
【００４４】
また、シンク１４０の水栓１４２（図３では図示を省略している）の取付部周囲の傾斜面１４０ｂは、サポートデッキ側面２５４と連続するように形成されている。
【００４５】
図３（ｂ）に示す、サポートデッキ２５２の厚みＷは８０ｍｍ以上であるとよい。上述のカトラリートレイ３００は、もとより、サポートデッキ２５２の厚みＷを利用したものであるが、カトラリートレイ３００を収納するのに十分な厚みを確保するためである。
【００４６】
図３（ｂ）に示すように、サポートデッキ２５２の上面はシンク１４０の縁より高く形成されているとよい。このようにすることにより、サポートデッキ２５２への水はね防止がより確実となり、ドライエリアとしてより完全なものとなるからである。
【００４７】
また、サポートデッキ２５２を高く形成するには、サポートデッキ２５２を高所に移動させるのではなく、サポートデッキ２５２の厚みＷを厚くすることによって実現できる。これにより、逆説的ではあるが、サポートデッキ２５２の厚みＷを、カトラリートレイ３００を収容可能な程度まで厚くすることができる。
【００４８】
上記構成のサポートデッキ２５２は、水はねを防止したドライエリアとなり、濡らしたくない物を載置することができる。そしてサポートデッキ２５２は調理や配膳のための一時置き場として利用できるほか、本棚や電話、ＦＡＸ、コンピュータなどを設置するスペースとしても利用することができる。
【００４９】
なお、このようにシンク１４０の縁よりサポートデッキ２５２の上面を高く形成するのは、同一シリーズのシステムキッチンのデザインの共通性のためでもある。
【００５０】
（カトラリートレイ）
図４は図３のカトラリートレイを示す図である。また、図５は図４のカトラリートレイの四面図および断面図であり、（ａ）は背面図、（ｂ）は平面図、（ｃ）は正面図、（ｄ）は右側面図、（ｅ）は（ｂ）のＣ−Ｃ断面図、（ｆ）は（ｂ）のＤ−Ｄ断面図である。
【００５１】
図４に示すように、カトラリートレイ３００の前面は化粧板３１０によって被覆され、これにより、サポートデッキと一体的な外観を有する。
【００５２】
またカトラリートレイ３００は、図４および図５に示すように、５つの収納部３９０Ａ〜３９０Ｅに区画されている。両側の４つの収納部３９０Ａ〜３９０Ｄは、ほぼ等しい寸法を有する大型の収納部であり、中央の収納部３９０Ｅは、小物を収容するための小型の収納部である。
【００５３】
図５（ｅ）、（ｆ）のＣ−Ｃ断面図およびＤ−Ｄ断面図に示すように、収納部３９０Ｅとその両側の収納部３９０Ｂ、３９０Ｄとを区画するパーティションは、前面に向かって緩やかに下方に傾斜する形状を有する。
【００５４】
カトラリートレイ３００は左右対称の形状であるため、側面図は右側面図である図５（ｄ）しか示していないが、サポートデッキ２５２側に設けられたレール３８０Ａ、３８０Ｂに適合する形状を有するこれらの側面が、レール３８０Ａ、３８０Ｂに支持されつつ摺動可能である。
【００５５】
そしてさらにレール３８０Ａ、３８０Ｂの外側に、上述のＬ字支持金具３７０Ａ、３７０Ｃが配置され、カトラリートレイ３００の中央の、収納部が設けられていない部位４１０に、小型の収納部３９０Ｅの直前まで、Ｌ字支持金具３７０Ｂが挿通されることとなる。
【００５６】
図６は図４および図５に示すカトラリートレイがサポートデッキから引き出される様子を示す図である。
【００５７】
図６に示すように、カトラリートレイ３００に、箸４２０やフォーク４３０などの食卓３３０に並べる用具や、調理用具を収納すれば、図１（ｂ）の位置Ａ、Ｂに位置する水仕事を行う者、および、位置Ｃに位置する水仕事を行わない者（配膳を行う者）の双方にとって、手近な収納手段が増え、システムキッチン２００の利便性が高まる。
【００５８】
図７は図６のカトラリートレイを他の方向から見た図である。図７に示すように、カトラリートレイ３００は、ワークトップ２５０の長手方向、すなわち矢印４５０の方向に引き出される。これにより、カトラリートレイ３００は、サポートデッキ２５２が突出している長手方向にさらに突出することとなる。したがって、キッチン２００の両長辺に相当する、図１（ｂ）の位置Ａ、Ｂで対面している調理者双方、および、ワークトップ２５０の短辺に相当する位置Ｃからキッチンにアクセスする水仕事をしない者、の３者によって利用可能となる。
【００５９】
なお、図示は省略するものの、カトラリートレイ３００は短手方向、すなわち、矢印４６０または４７０方向に引き出される構成としてもよい。キッチンのデザインの自由度を高めるためである。この場合は、水仕事をする調理者のうち、位置ＡまたはＢに位置する一方の調理者と、水仕事をしない位置Ｃに位置する者との２者によって利用可能なカトラリートレイが構成されることとなる。
【００６０】
（サポートデッキの下方のスペース）
図１（ａ）に示すように、サポートデッキ２５２の下方には、実質的に床５２０からワークトップ２５０の下面までの高さを有するスペースが形成されている。これにより、サポートデッキ２５２の下方には、キッチンに接近させることが可能となった食卓３３０を配置させることが可能である。
【００６１】
また、このスペースには、別の収納棚やタオル掛けなど、食卓以外の物を配置し、さまざまな空間利用を考えてよい。図８〜図１０はそれぞれ、本実施形態におけるカトラリートレイを適用可能な他のシステムキッチンを示す図である。図８では、サポートデッキ２５２の下方のスペースにタオル掛け５００を設置し、タオル５１０を掛けた図である。
【００６２】
一方、図９および図１０では、サポートデッキ２５２の下方のスペースにそれぞれ引出式の収納棚５３０、５４０を設けた図である。これら収納棚５３０、５４０は自由に形状を決定してよく、収納方式も引出方式に限られないが、サポートデッキ２５２の下方のスペース内に収容される形態がよい。図９および図１０に示すように、それぞれの収納棚５３０、５４０の引出を収納した状態で外観上、美観に優れるからである。
【００６３】
とりわけ、図１０に示す収納棚５４０は、最上部の情報のサポートデッキ２５２と外形を一致させているため、より美観に優れている。
【００６４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６５】
本発明は、システムキッチンに適用可能である。
【図面の簡単な説明】
【００６６】
【図１】本発明の実施形態であるシステムキッチンを示す図であり、（ａ）は外観図、（ｂ）は同システムキッチンの配置図である。
【図２】図１のシステムキッチンの概略構成を説明するための外観斜視図である。
【図３】図２のシステムキッチンを部分的に断面図で示す三面図であり、（ａ）は平面図、（ｂ）は（ａ）のＢ−Ｂ断面図、（ｃ）は（ａ）のＣ−Ｃ断面図である。
【図４】図３のカトラリートレイを示す図である。
【図５】図４のカトラリートレイの四面図および断面図であり、（ａ）は背面図、（ｂ）は平面図、（ｃ）は正面図、（ｄ）は右側面図、（ｅ）は（ｂ）のＤ−Ｄ断面図、（ｆ）は（ｂ）のＥ−Ｅ断面図である。
【図６】図４および図５に示すカトラリートレイがサポートデッキから引き出される様子を示す図である。
【図７】図６のカトラリートレイを他の方向から見た図である。
【図８】本実施形態におけるカトラリートレイを適用可能な他のシステムキッチンを示す図である。
【図９】本実施形態におけるカトラリートレイを適用可能な他のシステムキッチンを示す図である。
【図１０】本実施形態におけるカトラリートレイを適用可能な他のシステムキッチンを示す図である。
【符号の説明】
【００６７】
１４０  シンク
２００  システムキッチン
２５０  ワークトップ
２５２  サポートデッキ
３００  カトラリートレイ
３３０  食卓
３７０Ａ、３７０Ｂ、３７０Ｃ  Ｌ字支持金具
５００  タオル掛け
５３０、５４０  収納棚
【図１】
0005147310.tif 000002
【図２】
0005147310.tif 000003
【図３】
0005147310.tif 000004
【図４】
0005147310.tif 000005
【図５】
0005147310.tif 000006
【図６】
0005147310.tif 000007
【図７】
0005147310.tif 000008
【図８】
0005147310.tif 000009
【図９】
0005147310.tif 000010
【図１０】
0005147310.tif 000011